(57)【要約】【課題】和紙などでなる複数枚の制光部材を照明用光源体に対して縦使いに配列して、柔らかで立体感のある変化性に富んだ照明効果を得るようになした造形装飾照明装置を提供すること。【解決手段】比較的薄厚のシート材でなる複数枚の制光部材１と、前記複数枚の制光部材をその厚さ方向にそれぞれ所定の間隔を隔てて規則的に配列して支持する制光部材配列支持手段２と、前記制光部材の配列方向に交差する面に沿って配置した照明用光源体３とからなることを特徴とする造形装飾照明装置。【選択図】図１
2005302487.tif 000002
【特許請求の範囲】
【請求項１】
比較的薄厚のシート材でなる複数枚の制光部材と、前記複数枚の制光部材をその厚さ方向にそれぞれ所定の間隔を隔てて規則的に配列して支持する制光部材配列支持手段と、前記制光部材の配列方向に交差する面に沿って配置した照明用光源体とからなることを特徴とする造形装飾照明装置。
【請求項２】
前記制光部材が、和紙、洋紙、合成紙、プラスチック、布、木あるいは金属などでなることを特徴とする請求項１に記載の造形装飾照明装置。
【請求項３】
前記複数枚の制光部材が、略同一の短冊形形状をなすものからなることを特徴とする請求項１〜請求項２のいずれかに記載の造形装飾照明装置。
【請求項４】
前記複数枚の制光部材が、その厚さ方向に配列支持された状態において厚さ方向に貫通する切欠孔を備え、前記切欠孔内に棒状の光源体を挿通配置してなることを特徴とする請求項１〜請求項３のいずれかに記載の造形装飾照明装置。
【請求項５】
前記複数枚の制光部材の後縁側あるいは上下端側に前記照明用光源体を配置してなることを特徴とする請求項１〜請求項４のいずれかに記載の造形装飾照明装置。
【請求項６】
前記制光部材配列支持手段が、前記制光部材を配列して支持するとともに、当該造形装飾照明装置の装置機枠を構成するものからなり、前記機枠が、壁面設置型、ユニット型、スタンド型、ブラケット型あるいは吊り下げ型などからなることを特徴とする請求項１〜請求項５のいずれかに記載の造形装飾照明装置。
【請求項７】
前記照明用光源体が、蛍光灯、発光ダイオード、フラッシュライトあるいは白熱球などからなることを特徴とする請求項１〜請求項６のいずれかに記載の造形装飾照明装置。
【発明の詳細な説明】
【技術分野】
【０００１】
この発明は、照明装置に関するものであり、特に、和紙などでなる複数枚の制光部材を照明用光源体に対して縦使いに配列して、柔らかで立体感のある照明効果を得るようになした造形装飾照明装置に関するものである。
【背景技術】
【０００２】
周知のように、従来のインテリア照明装置は、例えば、和風空間に適合するように和紙を構成部材として取り入れた和風調の装飾照明装置が各種提案され提供されてきている。それらの和風調装飾照明装置は、例えば、特許文献１〜３などに記載されているもののように、当該和紙などによるかさ部材を、主たる照明用光源体に対して平使い（光源体からの光線とかさ部材とが交差する関係にあって、光がかさ部材を透過する構成）の状態になっている。このように和紙を構成部材に組み入れた和風調装飾照明装置では、単に、光が和紙製かさ部材を透過して照明装置として機能するだけのものにすぎず、照明効果の変化性に乏しく、柔らかで立体的な変化性のある照明効果を得るものではなかった。
【０００３】
【特許文献１】特開平１０−２４７４０８号公報（要約、図１）
【特許文献２】特開平１１−１４４５０９号公報（要約、図１）
【特許文献３】特開２００１−３４５００５号公報（要約、図１及び図２）
【発明の開示】
【発明が解決しようとする課題】
【０００４】
そこで、この発明では、上記する従来技術の問題点を解消すべくなしたものであって、特に重要な要素は、部品点数が少なく、極めて簡単な構造でなり、多量生産にも適合し、経済的にも極めて有利である造形装飾照明装置を提供するものである。さらにまた、この発明は、和紙などでなる複数枚の制光部材を照明用光源体に対して縦使いに配列して、柔らかで立体感のある変化性に富んだ照明効果を得るようになした造形装飾照明装置を提供するものである。
【課題を解決するための手段】
【０００５】
この発明は、上記する目的を達成するにあたって、請求項１に記載の発明は、比較的薄厚のシート材でなる複数枚の制光部材と、前記複数枚の制光部材をその厚さ方向にそれぞれ所定の間隔を隔てて規則的に配列して支持する制光部材配列支持手段と、前記制光部材の配列方向に交差する面に沿って配置した照明用光源体とからなることを特徴とする造形装飾照明装置を構成するものである。
【０００６】
さらに、この発明において請求項２に記載の発明は、請求項１に記載の造形装飾照明装置であって、前記制光部材が和紙、洋紙、合成紙、プラスチック、布、木あるいは金属などでなることを特徴とするものである。
【０００７】
さらにまた、この発明において請求項３に記載の発明は、請求項１〜請求項２のいずれかに記載の造形装飾照明装置であって、前記複数枚の制光部材が、略同一の短冊形形状をなすものからなることを特徴とするものである。
【０００８】
さらにまた、この発明において請求項４に記載の発明は、請求項１〜請求項３のいずれかに記載の造形装飾照明装置であって、前記複数枚の制光部材が、その厚さ方向に配列支持された状態において厚さ方向に貫通する切欠孔を備え、前記切欠孔内に棒状の光源体を挿通配置してなることを特徴とするものである。
【０００９】
さらにまた、この発明において請求項５に記載の発明は、請求項１〜請求項４のいずれかに記載の造形装飾照明装置であって、前記複数枚の制光部材の後縁側あるいは上下端側に前記照明用光源体を配置してなることを特徴とするものである。
【００１０】
さらにまた、この発明において請求項６に記載の発明は、請求項１〜請求項５のいずれかに記載の造形装飾照明装置であって、前記制光部材配列支持手段が、前記制光部材を配列して支持するとともに、当該造形装飾照明装置の装置機枠を構成するものからなり、前記機枠が、壁面設置型、ユニット型、スタンド型、ブラケット型あるいは吊り下げ型などからなることを特徴とするものである。
【００１１】
さらにまた、この発明において請求項７に記載の発明は、請求項１〜請求項６のいずれかに記載の造形装飾照明装置であって、前記照明用光源体が、蛍光灯、発光ダイオード、フラッシュライトあるいは白熱ランプなどからなることを特徴とするものである。
【発明の効果】
【００１２】
この発明になる造形装飾照明装置によれば、まず第１に、複数枚の制光部材と、この複数枚の制光部材をその厚さ方向にそれぞれ所定の間隔を隔てて規則的に配列して支持する制光部材配列支持手段と、制光部材の配列方向に交差する面に沿って配置した照明用光源体とを必須の構成要件としたものであり、複数枚の制光部材を照明用光源体に対して縦使いに配列した点、さらには、当該制光部材を和紙材によって構成した点などから、柔らかで立体感のある変化性に富んだ照明効果を得る造形装飾照明装置とすることができ、これらの点においても極めて有効に作用するものといえる。
【００１３】
さらにまた、この発明になる造形装飾照明装置は、部品点数が少なく、極めて簡単な構造でなり、多量生産にも適合し、経済的にも極めて有利に作用するものといえる。
【発明を実施するための最良の形態】
【００１４】
以下、この発明になる造形装飾照明装置について、図面に示す具体的な実施例に基づいて詳細に説明する。図１は、この発明になる造形装飾照明装置の基本構成を示すものであって、図１Ａ、図１Ｂおよび図１Ｃは、複数枚の制光部材の配列形態の異なる例を示すものであり、棒状の光源体の高さ位置において断面にして示す概略的な断面図、図１Ｄは、図１Ａにおける１Ｄ−１Ｄ線に沿って断面にして示す概略的な１Ｄ−１Ｄ線断面図、図１Ｅおよび図１Ｆは、制光部材に対する光源体の配置関係を示す概略的な側面図である。
【００１５】
図２は、この発明になる造形装飾照明装置であり、図２Ａは、壁面設置型に構成した例を示す概略的な斜視図、図２Ｂは、ブラケット型に構成した例を示す概略的な斜視図、図２Ｃは、スタンドライト型に構成した例を示す概略的な斜視図である。図３は、壁面設置型の造形装飾照明装置３台と、ユニット型の造形装飾照明装置３台とを組み合わせた一構成例を示す概略的な正面図である。
【００１６】
図４は、壁面設置型の一構成例の詳細を示すものであって、図４Ａは、その概略的な正面図、図４Ｂは、その概略的な平面図、図４Ｃは、その概略的な側面図である。図５は、スタンドライト型の一構成例の詳細を示すものであって、図５Ａは、その概略的な正面図、図５Ｂは、その概略的な平面図、図５Ｃは、その概略的な側面図である。図６は、ライトユニット型の一構成例の詳細を示すものであって、図６Ａは、その概略的な正面図、図６Ｂは、その概略的な平面図、図６Ｃは、その概略的な側面図である。図７は、ブラケット型の一構成例の詳細を示すものであって、図７Ａは、その概略的な正面図、図７Ｂは、その概略的な平面図、図７Ｃは、その概略的な側面図である。
【００１７】
一方、図８は、シャンデリアタイプに設計した吊り下げ型の造形装飾照明装置の構成例を示すものであって、図８Ａは、短冊形形状の制光部材をその長さ方向が上下方向になるように吊り下げた構成例を示す概略的な斜視図であり、図８Ｂは、短冊形形状の制光部材をその幅方向が上下方向になるように吊り下げた構成例を示す概略的な斜視図である。図９は、上記する各形態の造形装飾照明装置を組み合わせて、一室内における壁面並びに天井面を造形装飾照明した一構成例を示す概略的な斜視図である。
【００１８】
この発明になる造形装飾照明装置ＦＬは、基本的には、和紙などでなる複数枚の制光部材１を照明用光源体３に対して縦使い、すなわち、光源体からの光線と複数枚の制光部材とが平行する関係にあって、光が複数枚の制光部材間を通過するように配列構成し、柔らかで立体感のある変化性に富んだ照明効果を得るようになしたものである。
【００１９】
この造形装飾照明装置ＦＬは、比較的薄厚のシート材でなる複数枚の制光部材１と、この複数枚の制光部材１をその厚さ方向にそれぞれ所定の間隔を隔てて規則的に配列して支持する制光部材配列支持手段２と、制光部材１の配列方向に交差する面に沿って配置した照明用光源体３との組み合わせによって構成されるものである。
【００２０】
この発明において、前記制光部材１は、和紙、洋紙、合成紙、プラスチック、布、木あるいは金属などであり、比較的薄厚のシート材でなっていて、平面視形状は特に限定されるものではなく、壁面を造形的に装飾照明するという概念のものとして、前記制光部材１は、好ましくは、略同一の短冊形形状をなすものからなっている。前記短冊形形状でなる制光部材１の長さ寸法Ｌ並びに幅寸法Ｗは、後述するように、当該造形装飾照明装置ＦＬの各種形態に応じて適宜選択的に設計されるものである。
【００２１】
この複数枚の制光部材１は、その長さ方向の両端１ａ、１ｂが、前記制光部材配列支持手段２における支持部材２ａ、２ｂによって上下方向に支持されている。その配列支持の形態は、特に限定されるものではなく、例えば、図１Ａに示すもののように、当該制光部材１の幅方向前縁１ｃと幅方向後縁１ｄが同位相で平行するもの、あるいは、図１Ｂに示すもののように、当該制光部材１の幅方向前縁１ｃと幅方向後縁１ｄが異位相で平行（傾斜して平行）するもの、さらには、図１Ｃに示すもののように、規則的に傾斜方向が異なる構成のものなど、それらの何れであってもよい。
【００２２】
この発明の重要な要素である複数枚の制光部材１と、照明用光源体３との関係について、図１Ｅ並びに図１Ｆに基づいて説明する。図１Ｅに示すものでは、複数枚の制光部材１が、その厚さ方向に配列支持された状態において厚さ方向に貫通する切欠孔４を備えたものからなっていて、前記切欠孔４内に棒状の光源体３が挿通配置されるものからなっている。この場合、前記棒状の光源体３は、アクリルパイプ５などによってカバーされていて、当該光源体３が前記制光部材１に直接的に触れないようになっている。この実施例において、前記棒状の光源体３は、前記制光部材配列支持手段２に取り付けてあるソケット６によって支持されていて、且つ、外部電源（図示せず）に電気的に接続されている。
【００２３】
複数枚の制光部材１と、照明用光源体３との関係は、上記する構成例にのみ限定されるものではなく、図１Ｆに示すもののように、前記照明用光源体３を前記複数枚の制光部材１の幅方向後縁１ｄ側に配列したものであってもよいし、あるいは、前記複数枚の制光部材１の配列方向の両側面側に配列して、側部側から光をはなつように構成したものであってもよい。
【００２４】
この発明において、前記制光部材配列支持手段２は、前記制光部材１を配列して支持するものであるとともに、当該造形装飾照明装置ＦＬの装置機枠７を構成するものでもある。この機枠７は、その選択的設計において、図２Ａ並びに図４に示すような壁面設置型ＦＬ１ 、図６に示すようなユニット型ＦＬ２ 、図２Ｃ並びに図５に示すようなスタンドライト型ＦＬ３ 、図２Ｂ並びに図７に示すようなブラケット型ＦＬ４ 、あるいは、図８に示すようなシャンデリア調の吊り下げ型ＦＬ５ａ、ＦＬ５ｂなどのものとして構成される。
【００２５】
この発明になる造形装飾照明装置ＦＬにおいて、前記照明用光源体３は、棒状の蛍光灯、環状の蛍光灯、発光ダイオード、フラッシュライトあるいは白熱ランプなどの何れであってもよい。
【００２６】
次いで、この発明になる造形装飾照明装置ＦＬの具体的な各種形態例について、図２〜図９の各図に基づいて説明する。この発明になる造形装飾照明装置ＦＬは、基本的には、それぞれ同一の構成でなる各種形態の造形的な照明装置として設計することができるようになっている。それらは、室内の照明装置を構成するものであって、具体的には、図２Ａ並びに図４に示すような壁面設置型の造形装飾照明装置ＦＬ１ 、図６に示すようなユニット型の造形装飾照明装置ＦＬ２ 、図２Ｃ並びに図５に示すようなスタンドライト型の造形装飾照明装置ＦＬ３ 、図２Ｂ並びに図７に示すようなブラケット型の造形装飾照明装置ＦＬ４ 、あるいは、図８に示すようなシャンデリア調の吊り下げ型の造形装飾照明装置ＦＬ５ａ、ＦＬ５ｂなどである。
【００２７】
図２Ａ並びに図４に示すような壁面設置型の造形装飾照明装置ＦＬ１ は、室内の壁面に沿って設置されるものであって、立体的な壁面照明を得るに適したものであり、機枠を兼ねた比較的大きな制光部材配列支持手段２を有し、該制光部材配列支持手段２内に複数枚の制光部材１を配列支持したものからなっている。図４各図に示すように、前記制光部材配列支持手段２は、機枠７を兼ねたものからており、この機枠７は、アクリル板によって、例えば、前面が開放した箱状に形成されていて、図４Ａに示すように、その背面パネルに比較的大きな貫孔８が設けてある。前記機枠７の下面側には、アクリル脚９並びに照明用光源体３のためのトランス１０が取り付けられている。
【００２８】
図６に示すようなユニット型の造形装飾照明装置ＦＬ２ は、例えば、図３に示すように、前記壁面設置型の造形装飾照明装置ＦＬ１ と組み合わせて室内における比較的大きな壁面に沿って設置されるものであって、立体的な壁面照明を得るに適したものである。その余の構成部分は、前記壁面設置型の造形装飾照明装置ＦＬ１ と同一のものであり、その説明を省略する。
【００２９】
図２Ｃ並びに図５に示すスタンドライト型の造形装飾照明装置ＦＬ３ 並びに、図２Ｂ並びに図７に示すブラケット型の造形装飾照明装置ＦＬ４ は、それぞれの図に示すように、機枠を兼ねた制光部材配列支持手段２の形態が相違するだけで、その余の構成部分は、前記壁面設置型の造形装飾照明装置ＦＬ１ と同一のものである。
【００３０】
一方、図８に示すシャンデリア調の吊り下げ型ＦＬ５ａ、ＦＬ５ｂは、天井面などに吊り下げて用いるものであって、吊り下げ手段１１を備えている点を除いて、前記壁面設置型の造形装飾照明装置ＦＬ１ と同一のもの、あるいは、前記壁面設置型の造形装飾照明装置ＦＬ１ から箱状の機枠を取り除き、前記制光部材１をその上端側で配列支持する支持部材１２を備えた構成のものからなっている。
【００３１】
この発明の変更例として、前記複数枚の制光部材１については、その平面視形状の異なるものの組み合わせによるものであってもよいし、当該複数枚の制光部材１がそれぞれ異なる色の組み合わせによるものであってもよいし、照明用光源体３を複数設けて、それらの光色を変えたものであってもよい。さらに、前記に照明用光源体３については、図１Ｅおよび図１Ｆに示す構成を組み合わせたものであってもよい。さらにまた、この発明に適用される制光部材１については、和紙を漉く際、当該和紙の組織内に導光性繊維（オプチカルファイバー）を組み入れて、当該導光性繊維に漏光部（内部損傷あるいは外部損傷による漏光部）を設けて漏光させるようにしたものであってもよい。
【図面の簡単な説明】
【００３２】
【図１】図１は、この発明になる造形装飾照明装置の基本構成を示すものであって、図１Ａ、図１Ｂおよび図１Ｃは、複数枚の制光部材の配列形態の異なる例を示すものであり、棒状の光源体の高さ位置において断面にして示す概略的な断面図、図１Ｄは、図１Ａにおける１Ｄ−１Ｄ線に沿って断面にして示す概略的な１Ｄ−１Ｄ線断面図、図１Ｅおよび図１Ｆは、制光部材に対する光源体の配置関係を示す概略的な側面図である。
【図２】図２は、この発明になる造形装飾照明装置であり、図２Ａは、壁面設置型に構成した例を示す概略的な斜視図、図２Ｂは、ブラケット型に構成した例を示す概略的な斜視図、図２Ｃは、スタンドライト型に構成した例を示す概略的な斜視図である。
【図３】図３は、壁面設置型の造形装飾照明装置３台と、ユニット型の造形装飾照明装置３台とを組み合わせた一構成例を示す概略的な正面図である。
【図４】図４は、壁面設置型の一構成例の詳細を示すものであって、図４Ａは、その概略的な正面図、図４Ｂは、その概略的な平面図、図４Ｃは、その概略的な側面図である。
【図５】図５は、スタンドライト型の一構成例の詳細を示すものであって、図５Ａは、その概略的な正面図、図５Ｂは、その概略的な平面図、図５Ｃは、その概略的な側面図である。
【図６】図６は、ライトユニット型の一構成例の詳細を示すものであって、図６Ａは、その概略的な正面図、図６Ｂは、その概略的な平面図、図６Ｃは、その概略的な側面図である。
【図７】図７は、ブラケット型の一構成例の詳細を示すものであって、図７Ａは、その概略的な正面図、図７Ｂは、その概略的な平面図、図７Ｃは、その概略的な側面図である。
【図８】図８は、シャンデリアタイプに設計した吊り下げ型の造形装飾照明装置の構成例を示すものであって、図８Ａは、短冊形形状の制光部材をその長さ方向が上下方向になるように吊り下げた構成例を示す概略的な斜視図であり、図８Ｂは、短冊形形状の制光部材をその幅方向が上下方向になるように吊り下げた構成例を示す概略的な斜視図である。
【図９】図９は、上記する各形態の造形装飾照明装置を組み合わせて、一室内における壁面並びに天井面を造形装飾照明した一構成例を示す概略的な斜視図である。
【符号の説明】
【００３３】
ＦＬ  造形装飾照明装置
ＦＬ１ 壁面設置型の造形装飾照明装置
ＦＬ２ ユニット型の造形装飾照明装置
ＦＬ３ スタンドライト型の造形装飾照明装置
ＦＬ４ ブラケット型の造形装飾照明装置
ＦＬ５ａ、ＦＬ５ｂ  吊り下げ型の造形装飾照明装置
１  制光部材
２  制光部材配列支持手段
３  照明用光源体
【図１】
2005302487.tif 000003
【図２】
2005302487.tif 000004
【図３】
2005302487.tif 000005
【図４】
2005302487.tif 000006
【図５】
2005302487.tif 000007
【図６】
2005302487.tif 000008
【図７】
2005302487.tif 000009
【図８】
2005302487.tif 000010
【図９】
2005302487.tif 000011